(57)【要約】【課題】ユーザによる撮影画像の確認を容易にする。【解決手段】カメラは、被写体像を撮像し、画像信号を出力する撮像手段６と、画像の取得を指示する指示部材３と、指示部材３により画像の取得が指示されると、撮像手段６から出力された画像信号を用いて、撮像直後に表示器１４に一時的に表示する一時表示画像を生成する画像生成手段７と、画像信号のうち、一時表示画像の所定領域に対応する画像信号を用いて拡大画像を生成し、表示器１４に表示する表示制御手段７とを備える。【選択図】図５
2010050876.tif 000002
【特許請求の範囲】
【請求項１】
被写体像を撮像し、画像信号を出力する撮像手段と、
画像の取得を指示する指示部材と、
前記指示部材により画像の取得が指示されると、前記撮像手段から出力された前記画像信号を用いて、撮像直後に表示器に一時的に表示する一時表示画像を生成する画像生成手段と、
前記画像信号のうち、前記一時表示画像の所定領域に対応する画像信号を用いて拡大画像を生成し、前記表示器に表示する表示制御手段とを備えることを特徴とするカメラ。
【請求項２】
請求項１に記載のカメラにおいて、
前記表示制御手段は、前記一時表示画像の全ての領域を前記表示器に表示した後、前記拡大画像を前記表示器に表示することを特徴とするカメラ。
【請求項３】
請求項２に記載のカメラにおいて、
前記表示制御手段は、前記一時表示画像の全ての領域を前記拡大画像に置換して前記表示器に表示することを特徴とするカメラ。
【請求項４】
請求項２に記載のカメラにおいて、
前記表示制御手段は、前記表示器に表示された前記一時表示画像の全ての領域に前記拡大画像を重畳して表示することを特徴とするカメラ。
【請求項５】
請求項１乃至４のいずれか一項に記載のカメラにおいて、
被写体像の焦点状態を検出する焦点検出領域に対応する画像信号を用いて焦点状態を調節する焦点調節手段と、
前記焦点検出領域を選択する選択手段とをさらに備え、
前記所定領域は、前記選択手段により選択された焦点検出領域に対応することを特徴とするカメラ。
【請求項６】
請求項１乃至４のいずれか一項に記載のカメラにおいて、
前記画像信号を用いて、前記被写体中の人物の顔を検出する顔検出手段をさらに備え、
前記所定領域は、前記顔検出手段により検出された人物の顔に対応する領域であることを特徴とするカメラ。
【請求項７】
請求項１乃至６のいずれか一項に記載のカメラにおいて、
前記指示部材により画像の取得が指示される前に、前記撮像手段から出力された前記画像信号を用いて、前記被写体像の撮像状態を確認するための確認用画像を生成する確認画像生成手段をさらに備え、
前記表示制御手段は、画像の取得が指示される直前に生成された前記確認用画像に基づいて前記所定領域を決定することを特徴とするカメラ。
【発明の詳細な説明】
【技術分野】
【０００１】
本発明は、撮影直後に拡大画像を表示できるカメラに関する。
【背景技術】
【０００２】
従来から、画像の全領域のうち所定のエリアを拡大した画像を液晶モニタに表示するカメラが知られている（たとえば特許文献１）。
【特許文献１】特開２００５−３２３０１５号公報
【発明の開示】
【発明が解決しようとする課題】
【０００３】
しかしながら、焦点調節状態等を確認するためには、取得した画像を再生モードにて拡大再生する必要があり、失敗写真の場合にすぐに撮り直しができないという問題がある。
【課題を解決するための手段】
【０００４】
請求項１に記載の発明によるカメラは、被写体像を撮像し、画像信号を出力する撮像手段と、画像の取得を指示する指示部材と、指示部材により画像の取得が指示されると、撮像手段から出力された画像信号を用いて、撮像直後に表示器に一時的に表示する一時表示画像を生成する画像生成手段と、画像信号のうち、一時表示画像の所定領域に対応する画像信号を用いて拡大画像を生成し、表示器に表示する表示制御手段とを備えることを特徴とする。
請求項２に記載の発明は、請求項１に記載のカメラにおいて、表示制御手段は、一時表示画像の全ての領域を表示器に表示した後、拡大画像を表示器に表示することを特徴とする。
請求項３に記載の発明は、請求項２に記載のカメラにおいて、表示制御手段は、一時表示画像の全ての領域を拡大画像に置換して表示器に表示することを特徴とする。
請求項４に記載の発明は、請求項２に記載のカメラにおいて、表示制御手段は、表示器に表示された一時表示画像の全ての領域に拡大画像を重畳して表示することを特徴とする。
請求項５に記載の発明は、請求項１乃至４のいずれか一項に記載のカメラにおいて、被写体像の焦点状態を検出する焦点検出領域に対応する画像信号を用いて焦点状態を調節する焦点調節手段と、焦点検出領域を選択する選択手段とをさらに備え、所定領域は、選択手段により選択された焦点検出領域に対応することを特徴とする。
請求項６に記載の発明は、請求項１乃至４のいずれか一項に記載のカメラにおいて、画像信号を用いて、被写体中の人物の顔を検出する顔検出手段をさらに備え、所定領域は、顔検出手段により検出された人物の顔に対応する領域であることを特徴とする。
請求項７に記載の発明は、請求項１乃至６のいずれか一項に記載のカメラにおいて、指示部材により画像の取得が指示される前に、撮像手段から出力された画像信号を用いて、被写体像の撮像状態を確認するための確認用画像を生成する確認画像生成手段をさらに備え、表示制御手段は、画像の取得が指示される直前に生成された確認用画像に基づいて所定領域を決定することを特徴とする。
【発明の効果】
【０００５】
本発明によれば、画像の取得が指示された後、取得した画像の所定領域に対応する拡大画像を表示器に表示するので、撮影後にすぐに撮影画像の確認が可能になる。
【発明を実施するための最良の形態】
【０００６】
図面を用いて、本発明の実施の形態によるカメラについて説明する。図１（ａ）に示すように、カメラ本体１には撮影レンズ２が取り付けられている。カメラ本体１の上面にはレリーズボタン３、電源スイッチ４、撮影モードの設定操作を行なうモードダイヤル５が設けられている。撮影モードには、たとえば後述するマニュアルＡＦモード、被写体の中から人物の顔を認識して焦点を調節するポートレートモード等の各種モードが含まれる。図１（ｂ）に示すように、カメラ本体１の背面には液晶モニタ１４、および後述する焦点検出領域を設定する際にユーザにより操作される操作部材１６が設けられている。
【０００７】
図２は実施の形態のカメラの回路構成を示すブロック図である。デジタルカメラは、撮像素子６、制御回路７、ＳＤＲＡＭ８、フラッシュメモリ９、焦点調節装置１０、メモリカードインタフェース１１、および液晶モニタ１４を備える。撮像素子６は、画素に対応する複数の光電変換素子を備えたＣＣＤやＣＭＯＳイメージセンサによって構成される。撮像素子６は、撮像面上に結像されている被写体像を撮像し、被写体像の明るさに応じた光電変換信号（画像信号）を出力する。撮像素子６の撮像面には、それぞれＲ（赤）、Ｇ（緑）およびＢ（青）のカラーフィルタが画素位置に対応するように設けられている。撮像素子６がカラーフィルタを通して被写体像を撮像するため、各撮像素子から出力される画像信号は、それぞれＲＧＢ表色系の色情報を有する。
【０００８】
撮像素子６から出力された画像信号は制御回路７に入力される。制御回路７は、画像信号に対して種々の画像処理を施して画像データを生成する。そして、制御回路７は生成された画像データに対してＪＰＥＧなどの所定の方式により圧縮処理を行い、ＥＸＩＦなどの形式で記録媒体１２へ記録する。
【０００９】
制御回路７は、たとえばＲＩＳＣなどで構成され、図２に示す各回路を制御する。また、制御回路７は顔検出部７１を機能的に備えている。顔検出部７１は、ポートレートモードが選択されている場合、撮像素子６から出力された画像信号に基づいて撮影画像内における人物の顔を検出する。すなわち、顔検出部７１は、画像信号に基づいて、撮影画像内の肌色の領域を抽出し、さらに、肌色領域内において、一対の目および鼻などの人物の顔を特徴付ける情報を抽出する。肌色領域内に顔特徴情報が抽出されると、その領域を顔領域として検出する。
【００１０】
焦点調節装置１０は、撮像素子６から出力される撮像信号に基づいて周知の焦点評価値演算を行い、演算結果を制御回路７へ出力する。制御回路７は、演算結果に基づいて、焦点評価値が最大となる位置へ撮影レンズ２を移動する。なお、ポートレートモードにおいて顔検出部７１により顔検出が行われた場合は、制御回路７は撮影画像上で検出された顔に対応する画像信号に基づいて焦点調節を行う。また、マニュアルＡＦモードにおいて、ユーザにより操作部材１６が操作され、焦点検出領域が設定されている場合は、制御回路７は、撮影画像の全領域のうち設定された焦点検出領域に対応する画像信号に基づいて焦点調節を行う。
【００１１】
ＳＤＲＡＭ８は、画像処理、画像圧縮処理および表示用画像データ作成処理の途中や処理後のデータを一時的に格納するために使用される。表示用画像データは、制御回路７が撮像素子６からの出力に基づいて生成した画像データ、もしくは記録媒体１２に記録されている画像データに基づいて、制御回路７により生成される。生成された表示用画像データは、制御回路７によりＳＤＲＡＭ８に格納される。フラッシュメモリ９は、たとえば制御回路７が演算を行うための各種の処理プログラムが記憶された不揮発性メモリである。
【００１２】
ＬＣＤ駆動回路１３は制御回路７の命令に基づいて液晶モニタ１４を駆動し、液晶モニタ１４は画像を表示する。液晶モニタ１４に表示される画像において、前述した顔検出部７１により被写体の顔が検出されている場合は、その顔の周囲に顔検出が行われたことを示す矩形枠が表示される。また、液晶モニタ１４は、デジタルカメラの各種設定メニュー画面の表示を行う。
【００１３】
次に、カメラの撮影動作について説明する。ユーザが電源スイッチ４を操作することにより電源がオンとなり、かつモードダイヤル５により撮影モードに切換えられると、制御回路７は撮影モードを設定する。制御回路７は、撮像素子６およびＬＣＤ駆動回路１３を制御することにより、たとえば１／３０秒の周期で液晶モニタ１４に表示される画像を更新する。すなわち、液晶モニタ１４には、被写体の動画像がスルー画として表示される。ユーザは、このスルー画を被写体像の撮影状態を確認するための確認用画像として利用できる。
【００１４】
スルー画表示中にユーザがレリーズボタン３を半押しして半押しスイッチ３ａがオンすると、撮影準備が指示される。さらに、ユーザがレリーズボタン３を全押しして全押しスイッチ３ｂがオンすると、制御回路７は各部に撮影を指示して、本画像データを取得する。制御回路７は、取得した本画像データを用いて表示用画像データを作成し、表示用画像データに対応する画像をフリーズ画として液晶モニタ１４に全画像表示させる。このフリーズ画は、液晶モニタ１４に所定時間の間、一時的に表示される一時表示画像である。撮影モードがポートレートモードもしくはマニュアルＡＦモードの場合は、制御回路７は、液晶モニタ１４に全画像表示されたフリーズ画を、焦点調節が行われた領域を含む所定の切り出し領域に対応する拡大画像に置き換えて表示する。この切り出し領域の範囲は、レリーズボタン３が全押し操作される直前のスルー画の座標値に基づいて制御回路７により決定される。以下、ポートレートモードが設定されている場合と、マニュアルＡＦモードが設定されている場合とに分けて詳細に説明する。
【００１５】
−ポートレートモード−
ポートレートモードが設定されている場合、撮影準備指示に応じて、顔検出部７１は、撮像素子６から入力した画像信号を用いて、上述したようにして顔検出処理を実行して人物の顔を検出する。人物の顔が検出されると、顔検出部７１は検出した人物の顔の中心位置を特定し、制御回路７はその位置を中心とする矩形枠を液晶モニタ１４に表示する。その結果、図３（ａ）に示すように、液晶モニタ１４には、検出された人物の顔が枠ＷＮで囲われて表示される。複数の顔が検出されると、図３（ｂ)に示すように、検出された各顔に枠ＷＮ１、ＷＮ２が重ねて表示される。そして、顔検出部７１により顔検出が行なわれた場合は、制御回路７は、上述したように撮影画像上で検出された顔に対応する画像信号に基づいて焦点調節を行う。
【００１６】
ユーザがレリーズボタン３を全押しして全押しスイッチ３ｂがオンすると、制御回路７は各部に撮影を指示する。このとき、制御回路７は、レリーズボタン３が全押し操作される直前に取得したスルー画を用いて、焦点調節を行った領域、すなわち顔を検出した領域の本画像データにおける座標値をＡＦエリア位置情報としてＳＤＲＡＭ８に格納する。そして、撮影により取得された画像信号は、制御回路７により、上述した画像処理が施され、本画像データ（ＲＡＷデータ）としてＳＤＲＡＭ８に格納される。制御回路７は、本画像データを用いてフリーズ画表示用データを作成して、ＬＣＤ駆動回路１３を介してフリーズ画表示用データに対応するフリーズ画を液晶モニタ１４に表示させる。このとき、上述したように、液晶モニタ１４には、検出された人物の顔が枠ＷＮで囲われて表示される。
【００１７】
制御回路７は、上述したフリーズ画表示の処理に先立って、ＳＤＲＡＭ８に格納されたＡＦエリア位置情報を用いて、フリーズ画表示の後に表示する拡大画像が、液晶モニタ１４に適したサイズで表示されるように座標値を換算する。そして、換算した座標値に基づいて、制御回路７は、拡大画像としてフリーズ画から切り出される切り出し領域を決定する。
【００１８】
切り出し領域が決定されると、上記のフリーズ画表示処理と並行して、制御回路７は、ＳＤＲＡＭ８に格納された本画像データと、切り出し領域とを用いて、液晶モニタ１４に拡大画像を表示するための拡大画像表示用データを生成する。そして、制御回路７は、ＬＣＤ駆動回路１３を介して拡大画表示用データに対応する拡大画像を液晶モニタ１４に表示させる。すなわち、制御回路７により、全領域が表示されていたフリーズ画が拡大画像に置換される。このとき、液晶モニタ１４には、図３（ｃ）に示すように、顔検出された領域に対応する拡大画像が枠ＷＬで囲われて表示される。図３（ｃ）の領域Ｒは、拡大画像を表示する際に、顔を検出した領域の縦横比が液晶モニタ１４の縦横比と異なる場合に生じる余白である。この領域Ｒは、制御回路７により、たとえば黒画面表示等の処理が行われる。
【００１９】
制御回路７は、上述した拡大画像を所定時間表示した後、液晶モニタ１４に再びスルー画を表示させる。拡大画像を表示する所定時間は、ユーザが被写体の表情、焦点調節状態、像ブレの状態等を確認するために必要となる程度の時間長として予め設定されているものとする。
【００２０】
撮影画像上で検出された顔に対応する画像信号に基づいて行った焦点調節の結果が、合焦ではないと判定した場合は、制御回路７は、上述した拡大画像の表示を行わない。すなわち、制御回路７は、液晶モニタ１４に撮影画像の全領域をフリーズ画として表示させ、所定時間経過後にスルー画を表示させる。なお、この場合、フリーズ画表示の際には、制御回路７は、非合焦であることを示す「ＡＦＮＧ」等のメッセージをフリーズ画に重畳して表示する。
【００２１】
図３（ｂ）に示すように、複数の顔が検出されている場合には、制御回路７は、図３（ｄ）に示すように、検出した顔がたとえば４人以下の場合、検出した人数分の拡大画像を液晶モニタ１４に同一画面表示してもよい。検出した顔が４人を超える場合は、撮影者に最も近い被写体の顔を拡大画像として表示してもよいし、撮影画像の中心に近い位置で撮影された被写体を４人分まで拡大画像として表示してもよい。
【００２２】
−マニュアルＡＦモード−
マニュアルＡＦモードが設定されている場合、撮影準備指示に応じて、制御回路７は、撮像素子６から入力した画像信号のうち、ユーザによる操作部材１６の操作によって設定された焦点検出領域に対応する画像信号に基づいて焦点調節を行う。ユーザがレリーズボタン３を全押しして撮影を指示した場合、ポートレートモードの場合と同様に、制御回路７は各部に撮影を指示するとともに、撮影指示の直前に取得したスルー画を用いて、焦点検出領域の本画像データにおける座標値をＡＦエリア位置情報としてＳＤＲＡＭ８に格納する。
【００２３】
制御回路７は、ポートレートモードの場合と同様にして、本画像データを生成して、図４（ａ）に示すように、液晶モニタ１４にフリーズ画を表示させるとともに、本画像データとＡＦエリア位置情報とを用いて拡大画像表示用データを生成する。フリーズ画が表示されている間、焦点検出領域に対応する位置に枠ＷＡＦが表示される。拡大画像表示用データが生成されると、制御回路７は、拡大画像表示用データに対応する拡大画像を液晶モニタ１４に表示させる。このとき、液晶モニタ１４には、図４（ｂ）に示すように、焦点検出領域に対応する拡大画像が枠ＷＬＡＦで囲われて表示される。制御回路７は、拡大画像が所定時間表示された後、再びスルー画を液晶モニタ１４に表示する点、および、焦点調節の結果が合焦ではない場合、拡大画像を表示せずフリーズ画に「ＡＦＮＧ」等のメッセージを重畳表示する点は、ポートレートモードの場合と同様である。
【００２４】
図５に示すフローチャートを用いて、実施の形態によるカメラのフリーズ画表示動作を説明する。図５の各処理手順は制御回路７でプログラムを実行して行なわれる。図５の各処理を行なうプログラムはメモリ（不図示）に格納されており、撮影モードとしてポートレートモードもしくはマニュアルＡＦモードが設定されると起動される。
【００２５】
ステップＳ１０１においては、液晶モニタ１４にスルー画を表示させてステップＳ１０２へ進む。ステップＳ１０２においては、レリーズボタン３が半押し操作されたか否かを判定する。半押しスイッチ３ａからオン信号を入力した場合は、ステップＳ１０２が肯定判定されてステップＳ１０３へ進む。半押しスイッチ３ａからオン信号を入力しない場合は、ステップＳ１０２が否定判定されて当該判定処理を繰り返す。
【００２６】
ステップＳ１０３においては、焦点調節を行ってステップＳ１０４へ進む。このとき、ポートレートモードが設定されている場合は、顔を検出した領域に対応する画像信号を用いて焦点調節をし、マニュアルＡＦモードが設定されている場合は、操作部材１６により設定された焦点検出領域に対応する画像信号を用いて焦点調節をする。
【００２７】
ステップＳ１０４においては、レリーズボタン３が全押し操作されたか否かを判定する。全押しスイッチ３ｂからオン信号を入力した場合は、ステップＳ１０４が肯定判定されてステップＳ１０５へ進む。全押しスイッチ３ｂからオン信号を入力しない場合は、ステップＳ１０４が否定判定されて後述するステップＳ１１７へ進む。
【００２８】
ステップＳ１０５においては、焦点調節を行った領域の本画像データにおける座標値をＡＦエリア位置情報としてＳＤＲＡＭ８に格納してステップＳ１０６へ進む。ステップＳ１０６においては、各部に撮影処理の開始を指示してステップＳ１０７へ進む。ステップＳ１０７においては、撮像素子６から出力された画像信号を取得してステップＳ１０８へ進む。ステップＳ１０８においては、取得した画像信号に対して画像処理を施して本画像データを生成し、ＳＤＲＡＭ８に格納してステップＳ１０９へ進む。
【００２９】
ステップＳ１０９では、ＡＦエリア位置情報を用いて、拡大画像が液晶モニタ１４に適したサイズで表示されるように座標値を換算し、拡大画像としてフリーズ画から切り出される切り出し領域を決定してステップＳ１１０へ進む。ステップＳ１１０においては、フリーズ画を液晶モニタ１４に全画像表示させるとともに、本画像データと切り出し領域とを用いて拡大画像表示用データを生成してステップＳ１１１へ進む。このとき、不図示のタイマを起動させて時間計測を開始する。
【００３０】
ステップＳ１１１においては、焦点調節の結果が合焦か否かを判定する。合焦の場合は、ステップＳ１１１が肯定判定されてステップＳ１１２へ進む。非合焦の場合は、ステップＳ１１１が否定判定されて後述するステップＳ１１５へ進む。ステップＳ１１２では、ステップＳ１１０で生成した拡大画像表示用データに対応する拡大画像を液晶モニタ１４に表示させてステップＳ１１３へ進む。このとき、ステップＳ１１０で計測を開始したタイマをリセットして、再度時間計測を開始する。
【００３１】
ステップＳ１１３においては、ステップＳ１１２でタイマによる時間計測を開始してから所定時間が経過したか否かを判定する。所定時間が経過した場合は、ステップＳ１１３が肯定判定されてステップＳ１１４へ進む。所定時間が経過していない場合は、ステップＳ１１３が否定判定されて当該判定処理を繰り返す。ステップＳ１１４においては、フリーズ画もしくは拡大画像の表示を終了し、液晶モニタ１４にスルー画を表示させて一連の処理を終了する。
【００３２】
焦点調節の結果が非合焦の場合にはステップＳ１１５へ進み、非合焦であることを示す「ＡＦＮＧ」等のメッセージをフリーズ画に重畳表示させてステップＳ１１６へ進む。ステップＳ１１６においては、ステップＳ１１０でタイマによる時間計測を開始してから所定時間が経過したか否かを判定する。所定時間が経過した場合は、ステップＳ１１６が肯定判定されてステップＳ１１４へ進む。所定時間が経過していない場合は、ステップＳ１１６が否定判定されて当該判定処理を繰り返す。
【００３３】
一方、ステップＳ１０４が否定判定されるとステップＳ１１７へ進み、レリーズボタン３が半押し操作されているか否かを判定する。半押しスイッチ３ａからオン信号を入力している場合はステップＳ１１７が肯定判定されてステップＳ１０４へ戻る。半押しスイッチ３ｂからオン信号を入力しない場合は、ステップＳ１１７が否定判定されてステップＳ１０２へ戻る。
【００３４】
以上で説明した実施の形態のカメラによれば、以下の作用効果が得られる。
（１）制御回路７は、焦点調節を行った領域に対応する所定領域を切り出し領域として本画像データから拡大画像表示用データを生成し、拡大画像表示用データに対応する拡大画像を液晶モニタ１４に表示するようにした。その結果、ユーザは、撮影直後に取得した画像における所望の被写体の焦点調節状態、手ブレ、被写体の表情等を拡大画像により確認できる。したがって、ユーザは、撮影画像の確認のために再生モードを設定して拡大再生するという煩雑な操作を省いて、撮り直しの要否を判断できるので、利便性が向上する。
【００３５】
（２）制御回路７は、取得した画像の全ての領域をフリーズ画として表示した後、拡大画像をフリーズ画から置換して表示するようにした。したがって、ユーザは、撮影画像の全体像を把握した後、拡大画像により所望の被写体の撮影状態を確認して、撮り直しの要否を判断できる。
【００３６】
（３）マニュアルＡＦモードが設定されている場合、制御回路７は、ユーザにより設定された焦点検出領域に対応する領域に基づいて、本画像データから拡大画像表示用データを生成して拡大画像を液晶モニタ１４に表示するようにした。したがって、拡大画像により、ユーザは、所望する被写体が満足できる撮影ができているか否かを撮影後直ちに確認できるので、従来のカメラのように再生モードに設定する必要がなくなるので、利便性が向上する。
【００３７】
（４）ポートレートモードが設定されている場合、制御回路７は、検出された被写体中の人物の顔を含む領域に基づいて、拡大画像表示用データを生成して拡大画像を液晶モニタ１４に表示するようにした。したがって、検出した被写体の顔を中心として拡大画像が表示されるので、焦点調節状態、被写体の目つぶり等を全画像表示のフリーズ画を用いる場合よりも確認しやすくなり、ユーザによる撮り直しの要否の判断に寄与できる。
【００３８】
（５）制御回路７は、拡大画像の周囲を枠ＷＬで囲って液晶モニタ１４に表示するようにした。したがって、フリーズ画から拡大画像へ表示が置換された場合に、ユーザは、液晶モニタ１４に表示された画像がフリーズ画の所定領域を拡大した画像であることを把握できるので、液晶モニタ１４の表示がスルー画に切り換わったと勘違いすることを防げる。
【００３９】
（６）制御回路７は、焦点調節の結果が非合焦の場合は、拡大画像の表示をしないようにし、フリーズ画に「ＡＦＮＧ」等のメッセージを重畳表示するようにした。したがって、拡大画像が表示されない時点で、ユーザは撮影画像が非合焦であると判断できるので、ユーザによる撮り直しの要否判断に寄与できる。
【００４０】
以上で説明した実施の形態のカメラを以下のように変形できる。
（１）撮影画像を常に２枚連写により取得してもよい。この場合、制御回路７は、１コマ目に取得した本画像データを用いて、液晶モニタ１４にフリーズ画を表示させた後、２枚連写により取得した２つの拡大画像に置換して表示する。このとき、２枚の画像の双方を記録するか、いずれか一方の画像を記録するかをユーザにより選択可能にできる。この選択操作は、操作部材１６により行われる。
【００４１】
さらに加えて、被写体の顔を認識して焦点調節を行った場合は、制御回路７は認識した人物の瞳が開いている場合に撮影画像を記録するようにユーザに促しても良い。この場合、制御回路７は、検出した顔領域内において、瞳を検出し、検出された瞳が一対あるか否かを判定する。一対の瞳が有ると判定されると、検出された顔の一対の瞳が開いていると認識することができる。すなわち、制御回路７は、顔検出部７１で検出した顔領域内において、白色黒色のパターン認識などを用いて一人の人物に対して二つの瞳を検出（判定）する。
【００４２】
（２）撮影モードが連写モードのときに撮影した場合であっても、フリーズ画を表示した後、拡大画像を表示してもよい。この場合、制御回路７は、１コマ目に撮影した本画像データを用いてフリーズ画を液晶モニタ１４に表示させた後、連写により取得したそれぞれの本画像データを用いて生成した拡大画像をフリーズ画に重畳させて、順次、液晶モニタ１４に表示する。このときの液晶モニタ１４の表示例として、図６（ａ）に、たとえば５コマの撮影画像が連写により取得された場合を示す。そして、（１）の場合と同様に、記録する画像をユーザにより選択可能とすることもできる。この場合についても、上記したように、被写体の顔を認識して焦点調節を行った場合は、制御回路７は認識した人物の瞳が開いている場合に撮影画像を記録するようにユーザに促しても良い。さらに、制御回路７は、人物の瞳が閉じている、もしくは半目と判定した場合は、対応する拡大画像に、たとえばグレー等の色を被せて表示してもよい。図６（ａ）においては、３コマ目と４コマ目の撮影画像において、半目もしくは目つぶりが判定された場合を示している。この結果、ユーザは、目つぶりもしくは半目の被写体が認識しやすくなる。
【００４３】
（３）拡大画像をフリーズ画に置換して表示するものに代えて、図６（ｂ）に示すように、拡大画像をフリーズ画に重畳して表示してもよい。この場合、制御回路７は、図３（ｃ）に示す領域Ｒを黒画面表示等の処理をしないようにする。
【００４４】
（４）フリーズ画を拡大画像と置換する際に、制御回路７は、拡大画像をスライドインさせたり、ズームインさせたりしてもよい。この結果、ユーザは、液晶モニタ１４に表示された画像がフリーズ画の所定領域を拡大した画像であることを把握できるので、液晶モニタ１４の表示がスルー画に切り換わったと勘違いすることを防げる。
【００４５】
（５）拡大画像に枠ＷＬを表示するものに代えて、図６（ｃ）に示すように、拡大画像が表示されていることを示すアイコンＡを重畳表示してもよい。この結果、ユーザは、表示中の画像がスルー画や再生画像ではないことを認識できる。
【００４６】
（６）焦点調節の結果が非合焦の場合に、フリーズ画を表示させ続けるものに代えて、撮影画像の中央付近を、たとえば３倍等の固定倍率で拡大表示させてもよい。この場合、制御回路７は、拡大画像を生成する場合と同様に、撮影画像の中央付近を固定倍率で拡大させた画像を生成する。なお、拡大表示の際にも、制御回路７は、「ＡＦＮＧ」等のメッセージの重畳表示を継続する。
【００４７】
（７）拡大画像の表示は、マニュアルＡＦモード、ポートレートモードが設定された際に行うものに限定されない。ユーザが、意思を持って撮影したい画像がある場合に選択される撮影モードにおいて拡大画像の表示をすることができる。
【００４８】
（８）フリーズ画表示後の拡大画像の表示の有無をユーザにより選択可能としてもよい。この場合、ユーザは、液晶モニタ１４に表示されるメニュー画面の中からＯＮ／ＯＦＦを設定できるようにすればよい。
【００４９】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５０】
【図１】本発明の実施の形態のカメラの外観図
【図２】実施の形態のカメラの要部構成を説明するブロック図
【図３】液晶モニタに表示される画像の一例を示す図
【図４】液晶モニタに表示される画像の一例を示す図
【図５】実施の形態のカメラのフリーズ画表示処理を説明するフローチャート
【図６】変形例において液晶モニタに表示される画像の一例を示す図
【符号の説明】
【００５１】
３・・・レリーズボタン  ６・・・撮像素子  ７・・・制御回路  １４・・・液晶モニタ
１６・・・操作部材  ７１・・・顔検出部
【図１】
2010050876.tif 000003
【図２】
2010050876.tif 000004
【図３】
2010050876.tif 000005
【図４】
2010050876.tif 000006
【図５】
2010050876.tif 000007
【図６】
2010050876.tif 000008